(57)【要約】【課題】  変速により運転者に与える違和感を抑制する。【解決手段】  ＥＣＵは、アクセルがオンである場合（Ｓ１０８にてＹＥＳ）、車両の加速度に基づいて変更された変速線に従った特殊変速制御を終了するステップ（Ｓ１１０）と、特殊変速制御が終了してから予め定められた時間Ｔ（Ｘ）が経過するまでは（Ｓ１１４にてＮＯ）、ギヤ段を維持するステップ（Ｓ１１８）と、予め定められた時間Ｔ（Ｘ）が経過した場合（Ｓ１１４にてＹＥＳ）、１段アップシフトするステップ（Ｓ１１６）と、アップシフトしてから予め定められた経過時間が経過するまでは（Ｓ１２２にてＮＯ）、ギヤ段を維持するステップ（Ｓ１２６）と、予め定められた時間Ｔ（Ｙ）が経過した場合（Ｓ１２２にてＹＥＳ）、通常時の変速線に従って、変速機の変速制御を行なうステップ（Ｓ１２４）とを含むプログラムを実行する。【選択図】        図３
2006029491.tif 000002
【特許請求の範囲】
【請求項１】
自動変速機の制御装置であって、
複数の変速モードのうちのいずれか１つに基づいて変速制御を行なうための制御手段と、
前記変速モードの切替時に、予め定められた第１の期間は、予め定められた変速比の範囲内での変速を制限するための第１の制限手段と、
前記第１の期間の経過時に、前記予め定められた変速比の範囲内で変速を行なうための変速手段と、
前記変速手段による変速後、予め定められた第２の期間は、前記予め定められた変速比の範囲内での変速を制限するための第２の制限手段とを含む、自動変速機の制御装置。
【請求項２】
前記変速手段は、アップシフトを行なうための手段を含む、請求項１に記載の自動変速機の制御装置。
【請求項３】
前記自動変速機は、離散化された複数のギヤ比をそれぞれのギヤ段として設定された自動変速機であって、
前記変速手段は、前記ギヤ段を１段上げるための手段を含む、請求項２に記載の自動変速機の制御装置。
【請求項４】
前記自動変速機は車両に搭載され、
前記制御手段は、
予め定められた変速線に従った変速モードで変速制御を行なうための変速制御手段と、
少なくともアクセルがオフ状態である予め定められた条件が成立したときに、前記変速制御手段による変速制御に代えて、ダウンシフトを伴う自動エンジンブレーキモードで変速制御を行なう自動エンジンブレーキ制御手段とを含み、
前記第１の制限手段は、前記自動エンジンブレーキ制御手段による変速制御から前記変速制御手段による変速制御に復帰する際に、少なくともアップシフトを禁止するための手段を含む、請求項１ないし３のいずれかに記載の自動変速機の制御装置。
【請求項５】
前記自動変速機は車両に搭載され、
前記制御手段は、
予め定められた変速線に従った変速モードで変速制御を行なうための変速制御手段と、
アクセルペダルの踏込み量、踏込み速度が予め定められた値以上であるときに、前記変速制御手段による変速制御に代えて、前記予め定められた変速線を高車速側へずらした、若しくは、低スロットル側にずらした変速線に従った特殊変速モードで変速制御を行なうための特殊変速制御手段とを含み、
前記第１の制限手段は、前記特殊変速制御手段による変速制御から前記変速制御手段による変速制御に復帰する際に、少なくともアップシフトを禁止するための手段を含む、請求項１ないし３のいずれかに記載の自動変速機の制御装置。
【発明の詳細な説明】
【技術分野】
【０００１】
本発明は、自動変速機の制御装置に関し、特に、複数の変速モードのうちのいずれか１つに基づいて変速制御を行なう自動変速機の制御装置に関する。
【背景技術】
【０００２】
自動変速機の変速制御装置において、登降坂時や急加速時などに、通常の変速制御から他の変速制御へ自動的に変更する技術が知られている。
【０００３】
特開平７−１９３３１号公報（特許文献１）は、少なくともアクセルオフ状態であることを含む予め定められた自動エンジンブレーキ制御条件が成立したときに、通常の変速制御に代えて自動エンジンブレーキ制御を行なう自動変速機の変速制御装置を開示する。特許文献１に記載の自動変速機の変速制御装置は、予め定められた変速条件に従って自動変速機の変速段を変更する変速制御部と、少なくともアクセルがオフ状態であることを含む予め定められた自動エンジンブレーキ制御条件が成立したときに、変速制御部による変速制御に代えて、エンジンブレーキ作動低速段へのダウンシフトを含む自動エンジンブレーキ制御を行なう自動エンジンブレーキ制御部と、自動エンジンブレーキ制御部による自動エンジンブレーキ制御から変速制御部による変速制御に復帰する際に、予め定められた時間を経過するまでは少なくともアップシフトを禁止する復帰制限部とを含む。
【０００４】
この公報に記載の自動変速機の変速制御装置によれば、自動エンジンブレーキ制御部による自動エンジンブレーキ制御から変速制御部による変速制御へ復帰する際に、復帰制限部により予め定められた時間を経過するまでは少なくともアップシフトが禁止される。すなわち、アクセルが踏込み操作されることにより自動エンジンブレーキ制御から通常の変速制御へ復帰する際に、アクセル操作量が小さい段階でアップシフト判断がなされても、予め定められた時間を経過するまではアップシフトが行なわれない。その間にアクセル操作量が増大してそのアップシフト判断が解除されれば、アップシフトを行なうことなく通常の変速制御へ移行する。このため、通常の変速制御への移行時に不要なアップシフトが行なわれることが回避され、変速段のアップダウンによる駆動力の減少，増大に起因して運転者に違和感を感じさせることが防止される。
【特許文献１】特開平７−１９３３１号公報
【発明の開示】
【発明が解決しようとする課題】
【０００５】
しかしながら、特許文献１に記載の自動変速機の変速制御装置においては、予め定められた時間を経過するまでの間にアップシフト判断が解除されず、たとえば複数段離れた変速段へのアップシフト判断がされるおそれがある。この場合、予め定められた時間の経過後に複数段離れた変速段へアップシフトされ、駆動力が急変するおそれがある。そのため、運転者に違和感を与えるおそれがあるという問題点があった。
【０００６】
本発明は、上述の問題点を解決するためになされたものであって、その目的は、運転者に与える違和感を抑制することができる自動変速機の制御装置を提供することである。
【課題を解決するための手段】
【０００７】
第１の発明に係る自動変速機の制御装置は、複数の変速モードのうちのいずれか１つに基づいて変速制御を行なうための制御手段と、変速モードの切替時に、予め定められた第１の期間は、予め定められた変速比の範囲内での変速を制限するための第１の制限手段と、第１の期間の経過時に、予め定められた変速比の範囲内で変速を行なうための変速手段と、変速手段による変速後、予め定められた第２の期間は、予め定められた変速比の範囲内での変速を制限するための第２の制限手段とを含む。
【０００８】
第１の発明によると、制御手段により、複数の変速モードのうちのいずれか１つに基づいて変速制御が行なわれ、第１の制限手段により、予め定められた第１の期間は、予め定められた変速比の範囲比の範囲での変速（たとえばアップシフト）が制限される。第１の期間の経過時に、変速手段によりアップシフトが行なわれ、変速手段による変速後、予め定められた第２の期間は、第２の制限手段により、アップシフトが制限される。この第２の制限手段の動作により、変速モードの切替時における変速比の急変を抑制し、駆動力の急変を抑制することができる。その結果、運転者に与える違和感を抑制することができる自動変速機の制御装置を提供することができる。
【０００９】
第２の発明に係る自動変速機の制御装置においては、第１の発明の構成に加え、変速手段は、アップシフトを行なうための手段を含む。
【００１０】
第２の発明によると、第１の期間の経過時に、変速手段によりアップシフトが行なわれる。これにより、アップシフト時における変速比の急変を抑制し、駆動力の急変を抑制することができる。
【００１１】
第３の発明に係る自動変速機の制御装置においては、第２の発明の構成に加え、自動変速機は、離散化された複数のギヤ比をそれぞれのギヤ段として設定された自動変速機である。変速手段は、ギヤ段を１段上げるための手段を含む。
【００１２】
第３の発明によると、第１の期間の経過時に、変速手段により、自動変速機のギヤ段が１段上げられる。これにより、ギヤ段を変更して変速が行なわれる自動変速機のアップシフト時における変速比の急変を抑制し、駆動力の急変を抑制することができる。
【００１３】
第４の発明に係る自動変速機の制御装置においては、第１ないし３のいずれかの発明の構成に加え、自動変速機は車両に搭載されている。制御手段は、予め定められた変速線に従った変速モードで変速制御を行なうための変速制御手段と、少なくともアクセルがオフ状態である予め定められた条件が成立したときに、変速制御手段による変速制御に代えて、ダウンシフトを伴う自動エンジンブレーキモードで変速制御を行なう自動エンジンブレーキ制御手段とを含む。第１の制限手段は、自動エンジンブレーキ制御手段による変速制御から変速制御手段による変速制御に復帰する際に、少なくともアップシフトを禁止するための手段を含む。
【００１４】
第４の発明によると、変速制御手段により、予め定められた変速線に従った変速モードで変速制御が行なわれる。少なくともアクセルがオフ状態である予め定められた条件が成立したとき、変速制御手段による変速制御に代えて、自動エンジンブレーキ制御手段が、ダウンシフトを伴う自動エンジンブレーキモードで変速制御を行なう。自動エンジンブレーキ制御手段による変速制御から変速制御手段による変速制御に復帰する際、少なくともアップシフトが禁止される。これにより、アクセルが踏込み操作されることにより自動エンジンブレーキモードでの変速制御から変速線に従った通常の変速制御へ復帰する際に、第１の時間を経過するまではアップシフトを禁止することができる。そのため、自動エンジンブレーキ制御終了時点の低いギヤ段で車両を加速させることができる。その結果、通常の変速制御への復帰時にアップシフトが行われ、運転者の要求する加速度が得られないことにより運転者に与える違和感を抑制することができる。
【００１５】
第５の発明に係る自動変速機の制御装置においては、第１ないし第３のいずれかの発明の構成に加え、自動変速機は車両に搭載されている。制御手段は、予め定められた変速線に従った変速モードで変速制御を行なうための変速制御手段と、アクセルペダルの踏込み量、踏込み速度が予め定められた値以上であるときに、変速制御手段による変速制御に代えて、予め定められた変速線を高車速側へずらした、若しくは、低スロットル側にずらした変速線に従った特殊変速モードで変速制御を行なうための特殊変速制御手段とを含む。第１の制限手段は、特殊変速制御手段による変速制御から変速制御手段による変速制御に復帰する際に、少なくともアップシフトを禁止するための手段を含む。
【００１６】
第５の発明によると、変速制御手段により、予め定められた変速線に従った変速モードで変速制御が行なわれる。アクセルペダルの踏込み量、踏込み速度が予め定められた値以上であるときに、変速制御手段による変速制御に代えて、特殊変速制御手段が、予め定められた変速線を高車速側へずらした、若しくは、低スロットル側にずらした変速線に従った特殊変速モードで変速制御を行なう。特殊変速制御手段による変速制御から変速制御手段による変速制御に復帰する際に、少なくともアップシフトが禁止される。これにより、特殊変速制御手段による変速制御から変速制御手段による変速制御に復帰する際に、第１の時間を経過するまではアップシフトを禁止することができる。そのため、自動エンジンブレーキ制御終了時点の低いギヤ段で車両を加速させることができる。その結果、通常の変速制御への復帰時にアップシフトが行われ、運転者の要求する加速度が得られないことにより運転者に与える違和感を抑制することができる。
【発明を実施するための最良の形態】
【００１７】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１８】
図１を参照して、本発明の実施の形態に係る自動変速機の制御装置を搭載した車両について説明する。この車両は、エンジン１００で発生した駆動力が、クラッチ２００、変速機３００、デファレンシャルギヤ４００およびドライブシャフト４０２を介して車輪４０４に伝達されることにより走行する。エンジン１００、クラッチ２００および変速機３００は、ＥＣＵ（Electronic Control Unit）５００により制御される。本実施の形態に係る自動変速機の制御装置は、たとえば、ＥＣＵ５００において実行されるプログラムにより発現される。
【００１９】
クラッチ２００は、エンジン１００のクランクシャフト６００に連結されている。クラッチ出力軸２０２は、スプライン３１０を介して変速機３００の入力軸３０２に連結されている。
【００２０】
変速機３００は、常時噛合い式のギヤトレーンから構成されている。変速機３００におけるギヤ段の選択は、アクチュエータ３０４によりシフトフォークシャフトを摺動させることにより行なわれる。アクチュエータ３０４は、油圧により作動するものであってもよく、電力により作動するものであってもよい。なお、変速機３００は、遊星歯車機構からなるＡＴ（Automatic Transmission）やＣＶＴ（Continuously Variable Transmission）など、自動で変速比を選択可能なものであれば何でもよい。
【００２１】
ＥＣＵ５００には、アクセル開度センサ５０２、ブレーキスイッチ５０４、ポジションセンサ５０６、タイミングロータ５０８の外周に対向して設けられたクランクポジションセンサ５１０、入力軸回転数センサ５１２、出力軸回転数センサ５１４、車速センサ５１６およびＧセンサ５１８から信号が送信される。
【００２２】
アクセル開度センサ５０２は、アクセルペダルのアクセル開度を検出する。ブレーキスイッチ５０４は、ブレーキがオン状態にあるかオフ状態にあるかを検出する。ポジションセンサ５０６は、シフトレバーのシフトポジションを検出する。クランクポジションセンサ５１０はエンジン回転数ＮＥを検出する。入力軸回転数センサ５１２は、変速機３００の入力軸３０２の回転数ＮＩを検出する。出力軸回転数センサ５１４は、変速機３００の出力軸３０６の回転数ＮＯを検出する。車速センサ５１６は、車速を検出する。Ｇセンサ５１８は、車両の前後方向の加速度を検出する。
【００２３】
ＥＣＵ５００は、これらのセンサから送信された信号、メモリ（図示せず）に記憶されたプログラム、マップおよび変速線などに基づいて演算処理を行なう。これにより、ＥＣＵ５００は、エンジン１００、クラッチ２００および変速機３００を制御する。
【００２４】
本実施の形態において、ＥＣＵ５００は、変速線にしたがった通常変速制御（通常変速モード）およびブレーキオン時若しくは、アクセルペダル解放時の加速度に応じて変速線を変更する特殊変速制御（特殊変速モード）とを実行する。特殊変速制御においては、通常変速制御に比べて、同じ車速でも低速のギヤ段が選択されるように、変速線が変更される。特殊変速制御により、エンジンブレーキがより大きく作用する。特殊変速制御から通常変速制御への切替え時は、タイマーカウンタ５２０によりカウントされる時間に従って、ギヤ段が選択される。
【００２５】
なお、特殊変速制御においては、変速線を変更する代わりにマップに基づいてギヤ段を選択してもよい。また、特殊変速制御は、ブレーキオン時の加速度に応じたもの以外に、その他、急なアクセルオン時にアクセル開度を水増しして読み込むものなどであってもよい。
【００２６】
さらに、特殊変速制御においては、アクセルペダルの踏込み量、踏込み速度が予め定められた値以上であるときに通常の変速線に従ったダウンシフトよりも早い時期でダウンシフトされるように、変速線を高車速側へずらしたり、低スロットル側にずらしたりしてもよい。さらに、アクセルペダルを急閉したときにも同様の制御を行なってもよい。本発明はこれらの制御にも適用できる。
【００２７】
図２を参照して、クラッチ２００についてさらに説明する。クラッチ２００は、乾式単板式の摩擦クラッチである。図２に示すように、クラッチ２００は、クラッチ出力軸２０２と、クラッチ出力軸２０２に配設されたクラッチディスク２０４と、クラッチハウジング２０６と、クラッチハウジング２０６に配設されたプレッシャプレート２０８と、ダイヤフラムスプリング２１０と、クラッチレリーズシリンダ２１２と、レリーズフォーク２１４と、レリーズスリーブ２１６とを含む。
【００２８】
ダイヤフラムスプリング２１０が、プレッシャプレート２０８を図２において右方向に付勢することにより、クラッチディスク２０４が、エンジン１００のクランクシャフト６００に取り付けられたフライホイール６０２に押付けられ、クラッチが係合される。
【００２９】
クラッチレリーズシリンダ２１２が、レリーズフォーク２１４を介して図２において右方向へ、レリーズスリーブ２１６を移動させることにより、ダイヤフラムスプリング２１０の内端部が図２において右方向へ移動する。ダイヤフラムスプリング２１０の内端部が図２において右方向へ移動すると、プレッシャプレート２０８が図２において左方向に移動し、クラッチディスク２０４とフライホイール６０２とが離れてクラッチが解放される。
【００３０】
クラッチレリーズシリンダ２１２は、リザーバ２１８から油圧ポンプ２２０により汲み上げられた作動油の油圧が、クラッチソレノイドバルブ２２２を介して供給されることにより作動する。クラッチソレノイドバルブ２２２は、クラッチレリーズシリンダ２１２に対する油圧の供給および排出を切換える。クラッチソレノイドバルブ２２２は、ＥＣＵ５００により制御される。
【００３１】
クラッチレリーズシリンダ２１２に油圧が供給されると、クラッチレリーズシリンダ２１２のピストンが図２において左方向に移動し、レリーズスリーブ２１６が図２において右方向へ移動してクラッチが解放される。クラッチレリーズシリンダ２１２のピストンの位置（クラッチストローク）は、クラッチストロークセンサ５２２により検出される。クラッチストロークセンサ５２２の検出結果を表す信号は、ＥＣＵ５００に送信される。
【００３２】
ＥＣＵ５００は、クラッチストロークセンサ５２２から送信された信号に基づいて、クラッチ２００が解放状態にあるか、係合状態にあるか、半係合状態にあるかを検出する。なお、クラッチ２００を電力により作動するようにしてもよい。
【００３３】
図３を参照して、本実施の形態に係る自動変速機の制御装置のＥＣＵ５００が実行するプログラムの制御構造について説明する。
【００３４】
ステップ（以下、ステップをＳと略す）１００にて、ＥＣＵ５００は、ブレーキスイッチ５０４から送信された信号に基づき、ブレーキがオンであるか否を判別する。ブレーキがオンである場合（Ｓ１００にてＹＥＳ）、処理はＳ１０２に移される。そうでない場合（Ｓ１００にてＮＯ）、この処理は終了する。
【００３５】
Ｓ１０２にて、ＥＣＵ５００は、Ｇセンサ５１８から送信された信号に基づき、車両の加速度を検出する。Ｓ１０４にて、ＥＣＵ５００は、検出された加速度に基づき、メモリに記憶された変速線を変更し、特殊変速制御を開始する。変速線の変更は、通常時の変速線と比べて、車速が同じであっても、ギヤ段が低速段に（ギヤ比が大きく）なるように行なわれる。
【００３６】
Ｓ１０６にて、ＥＣＵ５００は、ブレーキスイッチ５０４から送信された信号に基づき、ブレーキがオフであるか否かを判別する。ブレーキがオフである場合（Ｓ１０６にてＹＥＳ）、処理はＳ１０８に移される。そうでない場合（Ｓ１０６にてＮＯ）、処理はＳ１０２に移される。
【００３７】
Ｓ１０８にて、ＥＣＵ５００は、アクセル開度センサ５０２から送信された信号に基づき、アクセルがオンであるか否かを判別する。アクセルがオンである場合（Ｓ１０８にてＹＥＳ）、処理はＳ１１０に移される。そうでない場合（Ｓ１０８にてＮＯ）、処理はＳ１０２に移される。Ｓ１１０にて、ＥＣＵ５００は、特殊変速制御を終了する。
【００３８】
Ｓ１１２にて、ＥＣＵ５００は、特殊変速制御が終了してからの経過時間のカウントを開始する。Ｓ１１４にて、ＥＣＵ５００は、予め定められた時間Ｔ（Ｘ）が経過したか否かを判別する。予め定められた時間Ｔ（Ｘ）は、車両や変速機３００に応じて定められた固定値であってもよく、車両の動作状態に関するパラメータに応じて変化する変動値であってもよい。予め定められた時間Ｔ（Ｘ）が経過した場合（Ｓ１１４にてＹＥＳ）、処理はＳ１１６に移される。そうでない場合（Ｓ１１４にてＮＯ）、処理はＳ１１８に移される。Ｓ１１６にて、ＥＣＵ５００は、変速機３００を１段アップシフトする。なお、アップシフトする段数は、１段以外であってもよい。Ｓ１１８にて、ＥＣＵ５００は、現状のギヤ段からのアップシフトを制限する。
【００３９】
Ｓ１２０にて、ＥＣＵ５００は、アップシフトしてからの経過時間のカウントを開始する。Ｓ１２２にて、ＥＣＵ５００は、予め定められた時間Ｔ（Ｙ）が経過したか否かを判別する。予め定められた時間Ｔ（Ｙ）は、車両や変速機３００に応じて定められた固定値であってもよく、車両の動作状態に関するパラメータに応じて変化する変動値であってもよい。予め定められた時間Ｔ（Ｙ）が経過した場合（Ｓ１２２にてＹＥＳ）、処理はＳ１２４に移される。そうでない場合（Ｓ１２２にてＮＯ）、処理はＳ１２６に移される。Ｓ１２４にて、ＥＣＵ５００は、通常時の変速線に従って、変速機３００の変速制御を行なう。Ｓ１２６にて、ＥＣＵ５００は、現状のギヤ段からのアップシフトを制限する。
【００４０】
以上のような構造およびフローチャートに基づく、本実施の形態に係る自動変速機の制御装置のＥＣＵ５００の動作について説明する。
【００４１】
車両の走行中、ブレーキがオンにされると（Ｓ１００にてＹＥＳ）、車両の加速度が検出され（Ｓ１０２）、検出された加速度に基づき、メモリに記憶された変速線を変更して、特殊変速制御が行なわれる（Ｓ１０４）。これにより、ダウンシフトが行なわれ、エンジンブレーキがより大きく作用する。
【００４２】
ブレーキがオフにされ（Ｓ１０６にてＹＥＳ）、アクセルがオンにされた場合は（Ｓ１０８にてＹＥＳ）、運転者が車両の加速を要求している場合といえる。この場合、特殊変速制御が終了され（Ｓ１１０）、図４に示すように、特殊変速制御が終了してからの経過時間のカウントが開始される（Ｓ１１２）。
【００４３】
ここでは、特殊変速制御が終了した時点のギヤ段が２速であり、終了時点における車両の状態で通常変速制御に変更したとすれば、ギヤ段が４速に変更されると想定する。この場合、２速から４速に急にギヤ段が変更されると、変速比が急に小さくなるため、運転者の要求通りに車両が加速されないおそれがある。この状態で、車両を加速させるために運転者がさらにアクセルペダルを踏込めば、再度ダウンシフトが行なわれるビジーシフトとなり、運転者に違和感を与えるおそれがある。
【００４４】
そのため、予め定められた時間Ｔ（Ｘ）が経過するまでは（Ｓ１１４にてＮＯ）、図４に示すように、特殊変速制御が終了した時点のギヤ段からのアップシフトが制限される（Ｓ１１８）。これにより、運転者の要求に沿って車両が加速される。
【００４５】
予め定められた時間Ｔ（Ｘ）が経過すれば（Ｓ１１４にてＹＥＳ）、図４に示すように、１段だけアップシフトされ（Ｓ１１６）、アップシフトしてからの経過時間のカウントが開始される（Ｓ１２０）。
【００４６】
予め定められた時間Ｔ（Ｙ）が経過するまでは（Ｓ１２２にてＮＯ）、図４に示すように、アップシフト後のギヤ段からのアップシフトが制限され（Ｓ１２６）、予め定められた時間Ｔ（Ｙ）が経過すれば（Ｓ１２２にてＹＥＳ）、通常時の変速線に従って変速が行なわれる（Ｓ１２４）。これにより、特殊変速制御が終了し、通常の変速線に従った変速制御に切替える際、複数段にわたるアップシフトが急に行なわれ、駆動力が急変することを抑制することができる。そのため、要求通りの加速が得られなかったり、ビジーシフトとなったりして運転者に与える違和感を抑制することができる。
【００４７】
なお、本実施の形態においては、特殊変速制御から通常変速制御に切替える際、アップシフトが制限されていたが、ダウンシフトを制限するようにしてもよい。さらに、予め定められた時間Ｔ（Ｙ）が経過した後、変速を行ない、予め定められた時間Ｔ（Ｚ）が経過するまでは、変速後のギヤ段を維持するようにしてもよい。
【００４８】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４９】
【図１】本発明の実施の形態に係る自動変速機の制御装置を搭載した車両を示す制御ブロック図である。
【図２】本発明の実施の形態に係る自動変速機の制御装置を搭載した車両のクラッチを示す図である。
【図３】本発明の実施の形態に係る自動変速機の制御装置のＥＣＵが実行するプログラムの制御構造を示すフローチャートである。
【図４】ギヤ段の変化を示すタイミングチャートである。
【符号の説明】
【００５０】
３００  変速機、３０４  アクチュエータ、５００  ＥＣＵ、５０２  アクセル開度センサ、５０４  ブレーキスイッチ、５０６  ポジションセンサ、５０８  タイミングロータ、５１０  クランクポジションセンサ、５１２  入力軸回転数センサ、５１４  出力軸回転数センサ、５１６  車速センサ、５１８  Ｇセンサ、５２０  タイマーカウンタ。
【図１】
2006029491.tif 000003
【図２】
2006029491.tif 000004
【図３】
2006029491.tif 000005
【図４】
2006029491.tif 000006